(57)【要約】【課題】歌詞テロップ等を含む撮影映像のアップロードを禁止し得るカラオケ装置等を提供する。【解決手段】カラオケシステムは、カラオケ装置１００と、サーバ６００を有し、カラオケ装置１００は、コマンダ２００、ＳＴＢ３００、カメラ４１０、第１ディスプレイ４２１等を有する。著作権フラグが付帯されたカラオケデータに係る楽曲を歌唱する歌唱者Ｓの様子を撮影する場合、コマンダ２００は、単位歌詞テロップの更新タイミングで、フレーム抽出信号Ｆｅを出力する（Ｓ７）。フレーム抽出信号Ｆｅに応じて、ＳＴＢ３００は、撮影映像フレームＲｆから文字情報を抽出し（Ｓ３４）、当該文字情報と、フレーム抽出信号Ｆｅに含まれる単位歌詞テロップデータを比較する（Ｓ３５）。当該カラオケ装置１００は、比較結果に応じて、撮影映像フレームＲｆを含む投稿動画データＣｏのサーバ６００へのアップロードを許容若しくは禁止する。【選択図】図２
2011158642.tif 000002
【特許請求の範囲】
【請求項１】
ディスプレイ、カメラ、撮影記録手段、映像出力制御手段、音声出力手段、撮影映像認識手段、送信制御手段、映像データと楽曲データとから成るカラオケデータと、を備えるカラオケ装置であって、
前記音声出力手段は、カラオケデータに含まれる楽曲データに基づいて、音声信号を出力し、
前記撮影記録手段は、前記カメラが撮影した撮影信号を記録し、
前記映像出力制御手段は、前記カラオケデータに含まれる映像データを、楽曲データの楽曲進行に伴って、映像信号として前記ディスプレイに出力可能であり、
撮影映像認識手段は、前記カラオケデータに対応付けられた制御情報に応じて、当該カラオケデータに含まれる映像信号と、前記撮影記録手段に記録された撮影信号とを比較し、当該比較結果に基づく結果信号を前記送信制御手段へ出力し、
前記送信制御手段は、前記結果信号に基づいて、当該撮影信号に係る情報を、通信網を介して接続された外部装置に対して送信することを禁止する
ことを特徴とするカラオケ装置。
【請求項２】
請求項１記載のカラオケ装置であって、
前記映像データは、所定の文字サイズが規定された文字から成る歌詞テロップデータを含み、
前記送信制御手段は、
前記楽曲データの楽曲進行に伴い、前記歌詞テロップデータを構成する所定の文字範囲を、順次、前記映像出力制御手段に表示指示すると共に、前記文字範囲を前記撮影映像認識手段へ送付し、
前記撮影映像認識手段は、
前記文字範囲の文字種類、及び前記文字範囲のサイズと、前記撮影記録手段に記録された撮影信号における前記歌詞テロップとの比較に基づいて、前記撮影記録手段に記録される撮影信号に占める前記ディスプレイの割合を算出し、
算出された割合が所定割合を超える場合、当該撮影信号に係る情報を、前記外部装置に対して送信することを禁止する結果信号を、前記送信制御手段へ出力する
ことを特徴とするカラオケ装置。
【請求項３】
請求項２記載のカラオケ装置であって、
前記カラオケデータは、更に、前記歌詞テロップの表示タイミングを示すタイミングデータを含み、
前記送信制御手段は、
前記タイミングデータに示された楽曲進行に伴うタイミングで、前記撮影映像認識手段に対し、静止画抽出指示と、前記ディスプレイに出力される歌詞テロップに相当する文字範囲を送付し、
前記撮影映像認識手段は、
前記静止画抽出指示に従って、前記撮影信号から静止画を抽出し、
抽出した静止画から、文字情報を抽出し、
抽出した文字情報と、前記送信制御手段から送付された文字範囲と、を比較する
ことを特徴とするカラオケ装置。
【請求項４】
コマンダ及びセットトップボックスからなるカラオケシステムであって、
前記セットトップボックスは、
カメラに接続され、
前記カメラが撮影した撮影信号を記録する撮影記録手段を有し、
前記コマンダは、
ディスプレイに接続され、
映像データと楽曲データとから成るカラオケデータに基づいて、当該カラオケデータに含まれる映像データを、楽曲データの楽曲進行に伴って、映像信号として前記ディスプレイに出力可能であり、
更に、
前記セットトップボックスは、
前記カラオケデータに対応付けられた制御情報に応じて、当該カラオケデータに含まれる映像信号と、前記撮影記録手段に記録された撮影信号とを比較し、当該比較結果に基づく結果信号を前記コマンダへ出力し、
前記コマンダは、
前記結果信号に基づいて、当該撮影信号に係る情報を、通信網を介して接続された外部装置に対して送信することを禁止する
ことを特徴とするカラオケシステム。
【請求項５】
ディスプレイに接続され、且つ、映像出力制御手段を有するコマンダに接続されるセットトップボックスであって、
カメラに接続され、
前記カメラが撮影した撮影信号を記録する撮影記録手段と、
前記撮影記録手段に記録された撮影信号を、通信網を介して接続された外部装置に対して送信する送信手段と、
前記撮影記録手段に記録された撮影信号に対して、所定の画像処理を行う撮影映像認識手段と、を有し、
更に、前記撮影映像認識手段は、
映像データと楽曲データとから成るカラオケデータに対応付けられた制御情報に応じて、
当該カラオケデータに係る楽曲データの楽曲進行に伴い、前記映像データに基づき前記ディスプレイに出力される映像信号と、前記撮影記録手段に記録された撮影信号とを比較し、当該比較結果に基づいて、当該撮影信号に係る情報を基に、前記外部装置に対して送信することを禁止する結果信号を作成し、当該結果信号を、前記送信手段へ出力する
ことを特徴とするセットトップボックス。
【発明の詳細な説明】
【技術分野】
【０００１】
本発明は、歌唱者の映像を記録することができるカラオケ装置、カラオケシステム、セットトップボックスに関する。
【背景技術】
【０００２】
従来、歌唱者の歌唱内容を記録可能なカラオケ装置が提案されている。例えば、特許文献１記載のカラオケ録音装置は、歌唱者の歌声を伴奏音楽と共に記録する。又、当該カラオケ録音装置は、伴奏音楽のみを記録し得るように構成されている。
【先行技術文献】
【特許文献】
【０００３】
【特許文献１】特開２００３−１６７５９２号公報
【発明の開示】
【発明が解決しようとする課題】
【０００４】
ここで、カラオケ装置の分野においては、歌唱者の歌声のみならず歌唱者の歌唱の様子を撮影し映像として記録することにより、サービスの多様化、充実化を図り得る。このようなサービスを提供することは、カラオケ事業者にとって、集客力の向上という観点から好ましい。
【０００５】
通常、カラオケシステムにおいて、歌唱者は、ディスプレイに表示された歌詞テロップを見ながら歌唱を行う。又、楽曲の再生中、所定の背景映像が前記ディスプレイに表示される。ここで、歌唱者の歌唱の様子を撮影する場合、前記ディスプレイの内容が、歌唱者と共に撮影・記録され得る。この点、歌詞テロップや背景映像の記録が禁止されたコンテンツを用いてカラオケ歌唱が行われる場合、当該歌詞テロップや背景映像の記録（サーバ等へのアップロードを含む）を禁止し得る構成が必要である。
【０００６】
本発明は、上記問題点を解決するためになされたものであり、歌唱者の歌唱の様子を撮影し映像として記録し得るカラオケ装置等であって、記録が禁止されているカラオケコンテンツを用いた場合に、撮影内容の記録を適切に制限し得るカラオケ装置等を提供することを目的とする。
【課題を解決するための手段】
【０００７】
本発明の一側面に係るカラオケ装置は、ディスプレイ、カメラ、撮影記録手段、映像出力制御手段、音声出力手段、撮影映像認識手段、送信制御手段、映像データと楽曲データとから成るカラオケデータと、を備えるカラオケ装置であって、前記音声出力手段は、カラオケデータに含まれる楽曲データに基づいて、音声信号を出力し、前記撮影記録手段は、前記カメラが撮影した撮影信号を記録し、前記映像出力制御手段は、前記カラオケデータに含まれる映像データを、楽曲データの楽曲進行に伴って、映像信号として前記ディスプレイに出力可能であり、撮影映像認識手段は、前記カラオケデータに対応付けられた制御情報に応じて、前記カラオケデータに含まれる映像信号と、前記撮影記録手段に記録された撮影信号とを比較し、当該比較結果に基づく結果信号を前記送信制御手段へ出力し、前記送信制御手段は、前記結果信号に基づいて、当該撮影信号に係る情報を、通信網を介して接続された外部装置に対して送信することを禁止することを特徴とする。
【０００８】
当該カラオケ装置は、カラオケデータに対応付けられた制御情報に応じて、当該カラオケデータを構成する映像信号と、カメラを介して、前記撮影記録手段に記録された撮影信号を比較し、比較結果に基づく結果信号を生成する。即ち、当該カラオケ装置は、撮影信号に係る映像内容がカラオケデータに係る映像信号に基づく映像とどの程度一致するか否かを判断することができ、カラオケデータに係る映像が主体的に撮影されたか否かを判断し得る。そして、当該カラオケ装置は、生成された結果信号に基づいて、当該撮影信号に係る情報を、通信網を介して外部装置へ送信することを禁止する。従って、当該カラオケ装置は、歌唱者の歌唱の様子を撮影し映像として記録し得るという魅力を提供しつつ、記録（外部装置への送信を含む）が禁止されているカラオケコンテンツ等を用いた場合は、適切に、記録を制限し得る。
【０００９】
尚、本発明における「撮影記録手段に記録された撮影信号」は、撮影を完了したものに限るものではなく、撮影中に一時的に記憶されたものを含む。即ち、撮影実行中に、画像メモリ等に一時的に格納された撮影データも、本発明における「撮影記録手段に記録された撮影信号」に該当する。
【００１０】
本発明の他の側面に係るカラオケ装置は、楽曲データの楽曲進行に伴い、映像出力制御手段によって、所定の文字サイズが規定された歌詞テロップデータを構成する文字範囲を、ディスプレイに表示出力する。当該カラオケ装置は、ディスプレイに表示出力される文字範囲の種類、サイズと、撮影信号における歌詞テロップとの比較に基づいて、撮影信号に占めるディスプレイの割合を算出する。更に、当該カラオケ装置は、算出されたディスプレイの割合が所定割合を超える場合、当該撮影信号に係る情報を、外部装置に対して送信することを禁止する。従って、当該カラオケ装置は、前記カメラにおける撮影がディスプレイの表示内容を主体的に撮影したものであるか否かを判別し、ディスプレイの表示内容を主体的に撮影している場合、外部装置への送信を禁止し得る。一方、ディスプレイの表示内容を主体的に撮影していない場合、カラオケ装置は、撮影信号に係る情報を外部装置へ送信することを許容し得る。この結果、当該カラオケ装置は、歌唱者の歌唱の様子を撮影し映像として記録し得るという魅力を提供しつつ、記録（外部装置への送信を含む）が禁止されているカラオケコンテンツ等を用いた場合、適切に記録を制限し得る。
【００１１】
本発明の他の側面に係るカラオケ装置は、タイミングデータに示された楽曲進行に伴うタイミングで、撮影信号から静止画を抽出し、当該静止画から文字情報を抽出する。更に、当該カラオケ装置は、静止画の抽出と同じタイミングで、ディスプレイに出力される歌詞テロップに相当する文字範囲を取得する。当該カラオケ装置は、静止画から抽出した文字情報と、取得した文字範囲を比較する。従って、当該カラオケ装置は、より精度良く、撮影信号に占めるディスプレイの割合を算出することができ、ディスプレイの表示内容を主体的に撮影しているか否かを、適切に判断し得る。この結果、当該カラオケ装置は、歌唱者の歌唱の様子を撮影し映像として記録し得るという魅力を提供しつつ、記録（外部装置への送信を含む）が禁止されているカラオケコンテンツ等を用いた場合、より適切に、記録を制限し得る。
【００１２】
本発明の一側面に係るカラオケシステムは、コマンダ及びセットトップボックスからなるカラオケシステムであって、前記セットトップボックスは、カメラに接続され、前記カメラが撮影した撮影信号を記録する撮影記録手段を有し、前記コマンダは、ディスプレイに接続され、映像データと楽曲データとから成るカラオケデータに基づいて、当該カラオケデータに含まれる映像データを、楽曲データの楽曲進行に伴って、映像信号として前記ディスプレイに出力可能であり、更に、前記セットトップボックスは、前記カラオケデータに対応付けられた制御情報に応じて、当該カラオケデータに含まれる映像信号と、前記撮影記録手段に記録された撮影信号とを比較し、当該比較結果に基づく結果信号を前記コマンダへ出力し、前記コマンダは、前記結果信号に基づいて、当該撮影信号に係る情報を、通信網を介して接続された外部装置に対して送信することを禁止することを特徴とする。
【００１３】
当該カラオケシステムは、コマンダ及びセットトップボックスから構成される。セットトップボックスは、カラオケデータに対応付けられた制御情報に応じて、カラオケデータを構成する映像信号と、カメラを介して、前記撮影記録手段に記録された撮影信号を比較し、比較結果に基づく結果信号を、コマンダに出力する。そして、コマンダは、結果信号に基づいて、撮影信号に係る情報を、通信網を介して接続された外部装置に対して送信することを禁止する。これにより、当該カラオケシステムは、コマンダ及びセットトップボックスの協働により、撮影信号に係る映像内容がカラオケデータに係る映像信号に基づく映像とどの程度一致するか否かを判断することができ、カラオケデータに係る映像が主体的に撮影されたか否かを判断し得る。この結果、当該カラオケシステムは、歌唱者の歌唱の様子を撮影し映像として記録し得るという魅力を提供しつつ、記録（外部装置への送信を含む）が禁止されているカラオケコンテンツ等を用いた場合は、適切に記録を制限し得る。
【００１４】
本発明の一側面に係るセットトップボックスは、ディスプレイに接続され、且つ、映像出力制御手段を有するコマンダに接続されるセットトップボックスであって、カメラに接続され、前記カメラが撮影した撮影信号を記録する撮影記録手段と、前記撮影記録手段に記録された撮影信号を、通信網を介して接続された外部装置に対して送信する送信手段と、前記撮影記録手段に記録された撮影信号に対して、所定の画像処理を行う撮影映像認識手段と、を有し、更に、前記撮影映像認識手段は、映像データと楽曲データとから成るカラオケデータに対応付けられた制御情報に応じて、当該カラオケデータに係る楽曲データの楽曲進行に伴い、前記映像データに基づき前記ディスプレイに出力される映像信号と、前記撮影記録手段に記録された撮影信号とを比較し、当該比較結果に基づいて、当該撮影信号に係る情報を基に、前記外部装置に対して送信することを禁止する結果信号を作成し、当該結果信号を、前記送信手段へ出力することを特徴とする。
【００１５】
当該セットトップボックスは、カラオケデータに対応付けられた制御情報に応じて、カラオケデータに係る楽曲データの楽曲進行に伴い、前記映像データに基づき前記ディスプレイに出力される映像信号と、前記撮影記録手段に記録された撮影信号とを比較し、当該比較結果に基づいて、当該撮影信号に係る情報を基に、前記外部装置に対して送信することを禁止する結果信号を作成し、当該結果信号を送信手段へ出力する。これにより、当該セットトップボックスは、撮影信号に係る映像内容がカラオケデータに係る映像信号に基づく映像とどの程度一致するか否かを判断することができ、カラオケデータに係る映像が主体的に撮影されたか否かを判断し得る。この結果、当該セットトップボックスは、歌唱者の歌唱の様子を撮影し映像として記録し得るという魅力を提供しつつ、記録（外部装置への送信を含む）が禁止されているカラオケコンテンツ等を用いた場合は、適切に記録を制限し得る。
【発明の効果】
【００１６】
本発明によれば、カラオケ装置等は、歌唱者の歌唱の様子を撮影し、映像として記録するという魅力を提供しつつ、記録が禁止されているカラオケコンテンツを用いた場合に、外部装置に対する撮影内容の送信を禁止する。これにより、本発明は、カラオケ事業におけるサービスの多様化・充実化に貢献し得る。
【図面の簡単な説明】
【００１７】
【図１】カラオケシステムに関する説明図である。
【図２】カラオケシステムの制御構成に関する説明図である。
【図３】カラオケデータに関する説明図である。
【図４】著作権フラグに関する説明図である。
【図５】フレーム抽出信号に関する説明図である。
【図６】映像データ再生処理プログラムのフローチャートである。
【図７】認識信号確認処理プログラムのフローチャートである。
【図８】撮影映像アップロード処理プログラムのフローチャートである。
【図９】ＳＴＢ側制御処理プログラムのフローチャートである。
【図１０】ＳＴＢで行われる制御内容に関する説明図である。
【図１１】ディスプレイ表示内容と撮影内容等との関係を示す説明図である。
【発明を実施するための最良の形態】
【００１８】
以下、本発明の一実施形態について説明する。
（システム構成）
先ず、本発明の一実施形態に係るカラオケシステムの構成について、図１、図２を参照しつつ説明する。本実施形態に係るカラオケシステムは、各地のカラオケ店舗等に設置されたカラオケ装置１００と、通信網Ｎを介して接続されるサーバ６００と、によって基本的に構成される（図２参照）。
【００１９】
（カラオケ装置の構成）
当該カラオケ装置１００は、コマンダ２００、ＳＴＢ３００（セットトップボックス、Set Top Box）、カメラ４１０、第１ディスプレイ４２１、第２ディスプレイ４２２、マイク４３０、スピーカ４５０から構成されている。図１に示すように、歌唱者Ｓは、スピーカ４５０から出力される所望の楽曲に係る伴奏に合わせて、マイク４３０を用いてカラオケ歌唱を行う。この時、歌詞テロップ及び背景画像が、第１ディスプレイ４２１、第２ディスプレイ４２２に表示される（例えば、図１１（ａ）、（ｃ）参照）。従って、歌唱者Ｓは、第２ディスプレイ４２２等における歌詞テロップの表示に従って、カラオケ歌唱を行い得る。そして、カメラ４１０は、通常、歌唱者Ｓを撮影可能な位置に配置されている。従って、当該カラオケ装置１００は、カラオケ歌唱を行う歌唱者Ｓを撮影し得る。尚、当該カメラ４１０は、自由に移動させることができるので、第２ディスプレイ４２２を省略して、第１ディスプレイ４２１のみで構成してもよい。
【００２０】
（コマンダの構成）
コマンダ２００は、制御部２１０、映像データ再生部２２０、カラオケデータ記憶部２３０、指示入力部２４０、音声再生部、補助記憶部を有している。
制御部２１０は、ＣＰＵ、ＲＯＭ、ＲＡＭを有している。制御部２１０のＣＰＵは、種々のプログラム（例えば、後述する映像データ再生処理プログラム等）を実行する。制御部２１０のＲＯＭは、種々のデータを記憶する。具体的には、制御部２１０のＲＯＭは、映像データ再生処理プログラム等（図６〜図８参照）を記憶している。コマンダ２００のＲＡＭは、種々のデータを一時的に記憶する。
そして、制御部２１０は、各種制御プログラムに基づいて、後述する著作権フラグに基づく著作権信号Ｃｒの入力を受け付ける。又、制御部２１０は、指示入力部２４０からの操作信号に基づいて、撮影開始信号Ｓｔ、撮影終了信号Ｅｎ、アップロード信号Ｕを出力する。更に、当該制御部２１０は、各種制御プログラムに基づいて、後述するフレーム抽出信号Ｆｅを出力する。又、当該制御部２１０は、ＳＴＢ３００の画像認識部３２５から出力される認識信号Ｒｅを受け付ける。
【００２１】
映像データ再生部２２０は、カラオケデータ記憶部２３０に格納されているカラオケデータの再生映像データＰｖを読み出し、当該再生映像データＰｖに基づく映像の再生を行う。即ち、当該映像データ再生部２２０は、映像データ再生部２２０は、ＭＰＥＧデコーダを有している。ＭＰＥＧデコーダは、ＭＰＥＧフォーマットで生成されている再生映像データＰｖ（即ち、後述する背景映像データＢｉや歌詞テロップデータＬｙ）をデコードし、ビデオ信号Ｖｉを出力する。
又、当該映像データ再生部２２０は、当該カラオケデータに係る楽曲の進行に応じて出力されるテロップ色変換信号Ｃｃに基づいて、歌詞テロップデータＬｙに基づき表示された歌詞テロップの表示色を、白色から所定の色（例えば、桃色、水色等）に変更して出力する。即ち、テロップ色変換信号Ｃｃは、カラオケデータに係る楽曲の進行度合に応じて出力され、第１ディスプレイ４２１等に表示される歌詞テロップの表示色を変更するタイミングを示す。更に、当該映像データ再生部２２０は、当該再生映像データＰｖに係るビデオ信号Ｖｉと共に、マイク４３０から入力された音声信号Ｖｏを、第１ディスプレイ４２１、第２ディスプレイ４２２へ出力する。
【００２２】
そして、図２に示すように、カラオケデータ記憶部２３０は、カラオケ歌唱に用いられる楽曲に対応するカラオケデータを記憶している。当該カラオケデータは、楽音データＭｕ、再生映像データＰｖを含んでいる。楽音データＭｕは、ある楽曲に係る伴奏音楽データであり、当該楽音データＭｕをスピーカ４５０から出力することにより、カラオケ歌唱に用いられる。再生映像データＰｖは、第１ディスプレイ４２１、第２ディスプレイ４２２へ出力される映像データであり、背景映像データＢｉと、歌詞テロップデータＬｙにより構成される。
【００２３】
背景映像データＢｉは、カラオケ歌唱に際し、第１ディスプレイ４２１等に表示される画面の背景映像を構成するデータである。例えば、背景映像データＢｉは、図１３（ａ）に示す場合、雷雲の映像を構成する。尚、カラオケデータに係る楽曲を歌唱するアーティストのプロモーションビデオ映像を、当該背景映像データとすることも可能である。そして、歌詞テロップデータＬｙは、カラオケ歌唱に際し、第１ディスプレイ４２１等に表示される歌詞テロップを構成するデータである。当該歌詞テロップデータは、カラオケデータに係る楽曲の歌詞を示す文字データであり、歌詞テロップを構成する文字のサイズが規定されている。ここで、背景映像データＢｉに基づく背景映像や、歌詞テロップデータＬｙに基づく歌詞テロップは、カラオケ歌唱のための「再生」は許可されているが、「記憶」が禁止されている場合がある。図１に示す歌唱態様においては、カメラ４１０が撮影する映像に、背景映像、歌詞テロップが映ることが想定される（図１３（ｂ）参照）。
【００２４】
本実施形態に係るカラオケシステムにおいては、歌詞テロップ、背景映像の記録が禁止されている場合、著作権フラグが、当該カラオケデータに対して付帯される（図３、図４参照）。図４に示すように、カラオケデータに対する著作権フラグが「１」の場合、当該著作権フラグは、カラオケデータに係る背景映像、歌詞テロップの記憶が禁止されていることを示す。一方、著作権フラグが「０」の場合、当該著作権フラグは、カラオケデータに係る背景映像、歌詞テロップの記憶が許可されていることを示す。従って、コマンダ２００のＣＰＵは、著作権フラグを確認することで、当該カラオケデータに係る背景映像、歌詞テロップの記憶が禁止されているか否かを把握し得る。尚、本実施形態では、カラオケデータに対して著作権フラグを付帯させていたが、楽曲（カラオケデータ）毎の著作権フラグをテーブルとして定義してもよい。この場合、当該テーブルは、コマンダ２００の記憶装置（例えば、カラオケデータ記憶部２３０や、後述する補助記憶部）に記憶される。
【００２５】
指示入力部２４０は、カラオケ装置１００に関する各種指示の入力を受け付ける。当該指示入力部２４０は、コマンダ２００に配設されたコントロールパネルや、リモコン（図示せず）に対するユーザの操作入力を受け付ける。当該リモコンは、指示入力部２４０との間で、無線接続されている。そして、当該指示入力部２４０は、ユーザの操作に基づく撮影開始信号Ｓｔ、撮影終了信号Ｅｎ、アップロード信号Ｕを、ＳＴＢ３００へ出力する。
【００２６】
コマンダ２００の音声再生部は、カラオケデータを構成する楽音データＭｕに基づいて、楽曲の伴奏音楽の再生を行う。そして、伴奏音楽は、マイク４３０から入力された音声信号Ｖｏと混合され、混合音声信号として、スピーカ４５０から放音される。
【００２７】
（ＳＴＢの構成）
図２に示すように、ＳＴＢ３００は、ＣＰＵ、ＲＯＭ、ＲＡＭ、Ａ／Ｄコンバータ３１０、静止画抽出部３２０、画像認識部３２５、ＭＰＥＧエンコーダ３３０、記憶部３４０を有している。
ＳＴＢ３００のＣＰＵは、各種制御プログラム（例えば、後述するＳＴＢ側制御処理プログラム）に基づいて、ＳＴＢ３００全体を制御する。ＳＴＢ３００のＲＯＭは、種々のデータを記憶する。具体的には、ＳＴＢ３００のＲＯＭは、ＳＴＢ側制御処理プログラム（図９参照）を記憶している。ＳＴＢ３００のＲＡＭは、種々のデータを一時的に記憶する。
Ａ／Ｄコンバータ３１０は、カメラ４１０により撮影された撮影映像信号Ｒ（即ち、アナログ信号）を、デジタル信号に変換することで、撮影映像フレームＲｆを出力する。そして、当該Ａ／Ｄコンバータ３１０は、撮影映像フレームＲｆを、ＭＰＥＧエンコーダ３３０及び静止画抽出部３２０へ出力する。
静止画抽出部３２０は、コマンダ２００から入力されたフレーム抽出信号Ｆｅに基づくタイミングで、Ａ／Ｄコンバータ３１０から入力された撮影映像フレームＲｆを、静止画として抽出する。そして、当該静止画抽出部３２０は、フレーム抽出信号Ｆｅに従い抽出した撮影映像フレームＲｆを、画像認識部３２５へ入力する。
【００２８】
ここで、フレーム抽出信号Ｆｅについて、図５を参照しつつ説明する。フレーム抽出信号Ｆｅは、後述する映像データ再生処理プログラムに従って、コマンダ２００から出力される。図５に示すように、フレーム抽出信号Ｆｅは、フレーム抽出指示と、単位歌詞テロップデータにより構成される。フレーム抽出指示は、静止画抽出部３２０に、一の撮影映像フレームＲｆを静止画として抽出することを指示する制御指示である。単位歌詞テロップデータは、歌詞テロップデータＬｙの一部を構成し、第１ディスプレイ４２１等に楽曲の進行に応じて表示される一画面に含まれる歌詞テロップ（例えば、図１３（ａ）の場合「○△×□○△△」）に係る文字列データである。又、単位歌詞テロップデータは、文字サイズデータを含んでいる。当該文字サイズデータは、単位歌詞テロップデータを構成する各文字に規定された文字サイズを示す。当該単位歌詞テロップデータは、画像認識部３２５へ入力され、画像処理（後述する抽出内容比較処理（Ｓ３５））に用いられる。
【００２９】
図２に示すように、画像認識部３２５は、静止画抽出部３２０により静止画として抽出された撮影映像フレームＲｆを対象として、所定の画像処理を行う。当該画像認識部３２５は、静止画抽出部３２０からの撮影映像フレームＲｆに対して、文字認識処理を行う。そして、当該画像認識部３２５は、文字認識処理により撮影映像フレームＲｆから抽出された文字情報（文字種類、文字サイズ）と、コマンダ２００から入力された歌詞テロップデータＬｙ（後述する単位歌詞テロップデータ）における文字種類、文字サイズとを比較する。抽出した文字情報と歌詞テロップの比較結果が所定条件を満たす場合、画像認識部３２５は、認識信号Ｒｅをコマンダ２００へ出力する。
【００３０】
ＭＰＥＧエンコーダ３３０は、Ａ／Ｄコンバータ３１０から入力された撮影映像フレームＲｆと、マイク４３０から入力された音声信号Ｖｏを、ＭＰＥＧフォーマットでエンコードし、投稿動画データＣｏを生成する。ここで、投稿動画データＣｏのフォーマットは適宜選択することができる。
【００３１】
記憶部３４０は、ＭＰＥＧエンコーダ３３０で生成された投稿動画データＣｏを記憶する。これにより、カメラ４１０からの撮影映像信号Ｒ及びマイク４３０からの音声信号Ｖｏは、ＳＴＢ３００によってキャプチャされる。そして、記憶部３４０に記憶された投稿動画データＣｏは、後述するサーバ６００へのアップロードの対象となる。即ち、当該投稿動画データＣｏは、アップロード信号Ｕに基づいて、通信網Ｎを介して、投稿動画データベース６１０にアップロードされる。
【００３２】
尚、ＳＴＢ３００は、コマンダ２００に接続されている。そして、当該ＳＴＢ３００は、コマンダ２００に対する外部接続装置として機能する。即ち、本発明は、既存のコマンダ２００に対し、ＳＴＢ３００を接続することで実現し得る。コマンダ２００と、ＳＴＢ３００は、制御線を介して接続されており、種々の制御信号を用いて互いの機器を制御し得る。
【００３３】
（カメラの構成）
カメラ４１０は、図２に示すデジタルビデオカメラであり、画像形成部４１１を有し、コマンダ２００から出力された撮影開始信号Ｓｔ、撮影終了信号Ｅｎに応じて、カメラ４１０による撮影に関する制御を行うと共に、撮像面に入射された光に基づいて、アナログ信号である撮影映像信号Ｒを生成する。そして、当該画像形成部４１１は、生成した撮影映像信号Ｒを、ＳＴＢ３００のＡ／Ｄコンバータ３１０へ出力する。当該デジタルビデオカメラの構成については、既に公知であるため、その詳細な説明を省略する。
【００３４】
（その他の構成）
続いて、カラオケ装置１００を構成するその他の構成について、図１、図２を参照しつつ説明する。第１ディスプレイ４２１、第２ディスプレイ４２２は、カラオケ装置１００から入力された映像信号に係る映像を画面上に描画・表示する。
マイク４３０は、歌唱者Ｓの音声信号Ｖｏを、コマンダ２００及びＭＰＥＧエンコーダ３３０に入力する。
【００３５】
図２に示すように、サーバ６００は、投稿動画データベース６１０を有している。投稿動画データベース６１０は、カラオケ装置１００からアップロードされた投稿動画データＣｏを記憶している。又、投稿動画データベース６１０は、パソコンやコマンダ等を介して、アクセスされ得る。投稿された撮影映像（後述する投稿動画データＣｏ）の利用者は、パソコンや他のコマンダを介して、投稿動画データベース６１０から投稿動画データＣｏを読み出して再生することで、投稿された撮影映像を閲覧できる。
【００３６】
又、当該サーバ６００は、カラオケデータベース（図示せず）を有している。当該カラオケデータベースは、カラオケ楽曲の再生に用いられるカラオケデータを記憶している。又、サーバ６００は、カラオケデータベースに記憶されているカラオケデータを、各カラオケ店舗に配信する。
【００３７】
（コマンダ側制御処理の内容）
続いて、カラオケ装置１００に係るコマンダ２００の制御部２１０により実行される映像データ再生処理プログラムについて、図６を参照して詳細に説明する。
先ず、Ｓ１においては、制御部２１０は、リモコン等からの操作信号に基づいて、楽曲再生指示があったか否かを判断する。楽曲再生指示があった場合（Ｓ１：ＹＥＳ）、制御部２１０は、Ｓ２に処理を移行する。楽曲再生指示がない場合（Ｓ１：ＮＯ）、制御部２１０は、処理を待機する。
【００３８】
Ｓ２に移行すると、制御部２１０は、ユーザ所望の楽曲の再生を開始する。この時、制御部２１０は、当該楽曲に係るカラオケデータをカラオケデータ記憶部２３０から読み出し、当該カラオケデータに係る再生映像データＰｖ（即ち、背景映像データＢｉ、歌詞テロップデータＬｙ）に基づくビデオ信号Ｖｉを、映像データ再生部２２０を介して、第１ディスプレイ４２１、第２ディスプレイ４２２へ出力する。同時に、制御部２１０は、音声再生部により、当該カラオケデータに係る楽音データＭｕを、スピーカ４５０から出力する。その後、制御部２１０は、Ｓ３に処理を移行する。
【００３９】
Ｓ３では、制御部２１０は、楽曲の進行に応じて、順次、単位歌詞テロップを第１ディスプレイ４２１、第２ディスプレイ４２２に表示出力する。ここで、単位歌詞テロップは、歌詞テロップデータＬｙの一部を構成し、第１ディスプレイ４２１等の一画面に表示される歌詞テロップを意味する。即ち、当該単位歌詞テロップに係る文字列は、上述した単位歌詞テロップデータの内容に対応する。単位歌詞テロップを、所定サイズの白色文字で、第１ディスプレイ４２１等に表示出力した後、制御部２１０は、Ｓ４に処理を移行する。尚、単位歌詞テロップの表示色は、楽曲の進行に伴い出力されるテロップ色変換信号Ｃｃに基づいて、白色から所定の色に変更される。これにより、歌唱者Ｓは、単位歌詞テロップに係る歌詞の歌唱タイミングを把握し得る。
【００４０】
Ｓ４においては、制御部２１０は、リモコン等からの操作信号に基づいて、投稿指示があったか否かを判断する。投稿指示があった場合（Ｓ４：ＹＥＳ）、制御部２１０は、アップロード信号ＵをＳＴＢ３００に出力し、Ｓ５に処理を移行する。ここで、楽曲の再生を開始した後の最初のＳ４において、投稿指示があったと判断した場合（Ｓ４：ＹＥＳ）、制御部２１０は、撮影開始信号Ｓｔを、ＳＴＢ３００及びカメラ４１０へ出力する。これにより、カメラ４１０は、歌唱者Ｓの歌唱の様子に関する撮影を開始する。一方、投稿指示がなかった場合（Ｓ４：ＮＯ）、制御部２１０は、Ｓ８に処理を移行する。
【００４１】
Ｓ５においては、制御部２１０は、当該楽曲に係るカラオケデータに、著作権フラグが付帯されているか否かを判断する。即ち、制御部２１０は、著作権信号Ｃｒに基づいて、当該カラオケデータの著作権フラグが「１」であるか否かを判断する。著作権フラグが付帯されている場合（Ｓ５：ＹＥＳ）、制御部２１０は、Ｓ６に処理を移行する。著作権フラグが付帯されていない場合（Ｓ５：ＮＯ）、制御部２１０は、Ｓ８に処理を移行する。
【００４２】
Ｓ６に移行すると、制御部２１０は、当該カラオケデータの楽曲進行に伴って、第１ディスプレイ４２１等に表示されている単位歌詞テロップが更新されたか否かを判断する。表示されている単位歌詞テロップが更新されている場合（Ｓ６：ＹＥＳ）、制御部２１０は、Ｓ７に処理を移行する。一方、単位歌詞テロップが更新されていない場合（Ｓ６）、制御部２１０は、Ｓ８に処理を移行する。
【００４３】
一般に、カラオケ装置等における歌詞テロップは、一画面分の歌詞テロップ（即ち、単位歌詞テロップ）が第１ディスプレイ４２１等に表示されると、楽曲の進行に伴い、表示中の歌詞テロップの表示色が変更される。そして、表示されている歌詞テロップの表示色が全て変更された時点で、第１ディスプレイ４２１は、新たに、一画面分の歌詞テロップを表示する。即ち、Ｓ６では、制御部２１０は、第１ディスプレイ４２１等に表示される単位歌詞テロップが、新たな単位歌詞テロップに変更されたか否かを判断する。尚、このＳ６の判断は、楽曲の再生開始からの経過時間によって判断し得る。
【００４４】
Ｓ７では、制御部２１０は、フレーム抽出信号出力処理を実行する。フレーム抽出信号出力処理（Ｓ７）では、制御部２１０は、当該楽曲のカラオケデータに著作権フラグが付帯されているため、再生映像データＰｖの記録が禁止されているものと判断し、フレーム抽出信号Ｆｅを生成して出力する。具体的には、制御部２１０は、先ず、更新された単位歌詞テロップに係る単位歌詞テロップデータと、フレーム抽出指示により、フレーム抽出信号Ｆｅを生成する。そして、制御部２１０は、生成したフレーム抽出信号Ｆｅを、ＳＴＢ３００へ出力する。尚、この時、制御部２１０は、フレーム抽出信号Ｆｅに係るフレーム抽出指示を、静止画抽出部３２０へ出力し、フレーム抽出信号Ｆｅに係る単位歌詞テロップデータを、画像認識部３２５へ出力する。フレーム抽出信号Ｆｅを出力した後、制御部２１０は、Ｓ８に処理を移行する。
【００４５】
Ｓ８においては、制御部２１０は、当該カラオケデータに係る楽曲の再生が終了したか否かを判断する。楽曲の再生を終了した場合（Ｓ８：ＹＥＳ）、制御部２１０は、Ｓ９に処理を移行する。一方、楽曲が未だ再生中である場合（Ｓ８：ＮＯ）、制御部２１０は、Ｓ３に処理を戻し、当該楽曲の再生を継続する。
【００４６】
Ｓ９に移行すると、制御部２１０は、撮影終了信号出力処理を実行する。撮影終了信号出力処理（Ｓ９）では、制御部２１０は、楽曲の再生終了に伴い、歌唱者Ｓの歌唱が終了したものと判断し、撮影終了信号ＥｎをＳＴＢ３００及びカメラ４１０に出力する。これにより、カメラ４１０は、歌唱者Ｓの歌唱の様子に関する撮影を終了する。撮影終了信号出力処理（Ｓ９）を終了すると、制御部２１０は、映像データ再生処理プログラムを終了する。
【００４７】
次に、コマンダ２００の制御部２１０により実行される認識信号確認処理プログラムについて、図７を参照しつつ詳細に説明する。ここで、認識信号Ｒｅは、ＳＴＢ３００において、撮影映像フレームＲｆに占める再生映像データＰｖを表示する第１ディスプレイ４２１等の割合が所定割合以上であり、再生映像データＰｖを表示する第１ディスプレイ４２１等を主体的に撮影していると判断し得る場合に、ＳＴＢ３００の静止画抽出部３２０から、コマンダ２００へ出力される。即ち、当該認識信号確認処理プログラムは、著作権フラグが付帯された再生映像データＰｖの画面を主体的にカメラ４１０で撮影しているか否かを確認するプログラムである。
【００４８】
先ず、Ｓ１１では、制御部２１０は、リモコン等からの操作信号に基づいて、当該カラオケデータに係る再生映像データＰｖの再生が開始された否かを判断する。再生映像データＰｖの再生が開始されている場合（Ｓ１１：ＹＥＳ）、制御部２１０は、Ｓ１２に処理を移行する。一方、再生映像データＰｖの再生が開始されていない場合（Ｓ１１：ＮＯ）、制御部２１０は、処理を待機する。
【００４９】
Ｓ１２においては、制御部２１０は、制御部２１０を構成するＲＡＭに形成された認識信号検出メモリをリセットする。当該認識信号検出メモリの記憶内容を初期化した後、制御部２１０は、Ｓ１３に処理を移行する。
【００５０】
Ｓ１３に移行すると、制御部２１０は、認識信号Ｒｅを受信したか否かを判断する。認識信号Ｒｅは、後述するＳＴＢ側制御処理プログラム（図９）において、撮影映像フレームＲｆに含まれる文字の種類、サイズと、単位歌詞テロップデータを構成する文字の種類、サイズの比較結果が所定の条件を満たす場合に、画像認識部３２５から出力される。認識信号Ｒｅを受信した場合（Ｓ１３：ＹＥＳ）、制御部２１０は、Ｓ１４に処理を移行する。一方、認識信号Ｒｅを受信していない場合（Ｓ１３：ＮＯ）、制御部２１０は、Ｓ１５に処理を移行する。
【００５１】
Ｓ１４では、制御部２１０は、認識信号Ｒｅを受信したことに伴って、認識信号検出メモリをセットする。認識信号検出メモリがセットされていることは、撮影映像フレームＲｆから抽出された文字と、単位歌詞テロップデータに係る文字との比較結果が所定の条件を満たすことを意味し、カメラ４１０によって再生映像データＰｖを含む映像を主体的に記録されていることを示す。識別信号検出メモリをセットした後、制御部２１０は、Ｓ１５に処理を移行する。
【００５２】
Ｓ１５においては、制御部２１０は、再生映像データＰｖの再生を終了したか否かを判断する。再生映像データＰｖの再生を終了している場合（Ｓ１５：ＹＥＳ）、制御部２１０は、認識信号確認処理プログラムを終了する。一方、再生映像データＰｖの再生が未だ終了していない場合（Ｓ１５：ＮＯ）、制御部２１０は、Ｓ１３に処理を戻す。
【００５３】
次に、コマンダ２００の制御部２１０により実行される撮影映像アップロード処理プログラムについて、図８を参照しつつ詳細に説明する。撮影映像アップロード処理プログラムは、カメラ４１０で撮影した投稿動画データＣｏのアップロードを行う際に実行される。
先ず、Ｓ２１では、制御部２１０は、ユーザによる投稿指示があったか否かを判断する。具体的には、制御部２１０は、アップロード信号Ｕの出力があったか否かにより、Ｓ２１の判断処理を行う。投稿指示があった場合（Ｓ２１：ＹＥＳ）、制御部２１０は、Ｓ２２に処理を移行する。一方、投稿指示がなかった場合（Ｓ２１：ＮＯ）、制御部２１０は、処理を待機する。
【００５４】
Ｓ２２においては、制御部２１０は、ＲＡＭに形成された認識信号検出メモリがセットされているか否かを判断する。認識信号検出メモリがセットされている場合（Ｓ２２：ＹＥＳ）、制御部２１０は、Ｓ２３に処理を移行する。一方、認識信号検出メモリがセットされていない場合（Ｓ２２：ＮＯ）、制御部２１０は、Ｓ２４に処理を移行する。
【００５５】
Ｓ２３に移行すると、制御部２１０は、アップロード不許可処理を実行する。アップロード不許可処理（Ｓ２３）では、記録が禁止された再生映像データＰｖの映像が投稿動画データＣｏに主体的に含まれているものと判断し、制御部２１０は、投稿動画データＣｏのアップロードを行うことなく、投稿動画データＣｏを記憶部３４０から削除するように、ＳＴＢ３００へ制御信号を出力する。又、当該アップロード不許可処理（Ｓ２３）では、制御部２１０は、「当該投稿動画データＣｏのアップロードは禁止されており、アップロードできない旨」の画像（以下、「不許可報知画像」という。）を、第１ディスプレイ４２１等に表示する（図１１（ｄ）参照）。アップロード不許可処理を終了すると、制御部２１０は、撮影映像アップロード処理プログラムを終了する。
【００５６】
Ｓ２４では、制御部２１０は、アップロード許可処理を実行する。アップロード許可処理（Ｓ２４）では、制御部２１０は、通信網Ｎを介して、当該投稿動画データＣｏをサーバ６００の投稿動画データベース６１０へアップロードすべく、ＳＴＢ３００に対して、制御信号を出力する。アップロード許可処理を終了すると、制御部２１０は、撮影映像アップロード処理プログラムを終了する。尚、アップロード許可処理で出力された制御信号を受信すると、ＳＴＢ３００は、制御信号が示す投稿動画データＣｏを記憶部３４０から読み出し、通信網Ｎを介して、投稿動画データベース６１０へアップロードする。
【００５７】
（ＳＴＢ側制御処理の内容）
続いて、カラオケ装置１００に係るＳＴＢ３００で実行されるＳＴＢ側制御処理プログラムについて、図９を参照しつつ詳細に説明する。当該ＳＴＢ側制御処理プログラムは、ＳＴＢ３００のＣＰＵによって、実行される。
先ず、Ｓ３１においては、ＳＴＢ３００は、コマンダ２００から出力された撮影開始信号Ｓｔを受信したか否かを判断する。撮影開始信号Ｓｔを受信している場合（Ｓ３１：ＹＥＳ）、ＳＴＢ３００は、Ｓ３２に処理を移行する。撮影開始信号Ｓｔを受信していない場合（Ｓ３１：ＮＯ）、ＳＴＢ３００は、処理を待機する。
【００５８】
Ｓ３２に移行すると、ＳＴＢ３００は、フレーム抽出信号Ｆｅを受信したか否かを判断する。上述したように、当該フレーム抽出信号Ｆｅは、記録が禁止された再生映像データＰｖを第１ディスプレイ４２１等の画面上で再生し、当該画面上に表示される単位歌詞テロップの内容が更新された場合に、コマンダ２００から出力される（Ｓ７）。フレーム抽出信号Ｆｅを受信した場合（Ｓ３２：ＹＥＳ）、ＳＴＢ３００は、Ｓ３３に処理を移行する。一方、フレーム抽出信号Ｆｅを受信していない場合（Ｓ３２：ＮＯ）、ＳＴＢ３００は、Ｓ３９に処理を移行する。
【００５９】
Ｓ３３では、ＳＴＢ３００は、撮影映像フレーム抽出処理を実行する。撮影映像フレーム抽出処理（Ｓ３３）では、ＳＴＢ３００は、受信したフレーム抽出信号Ｆｅに基づいて、カメラ４１０からの撮影映像信号Ｒに基づく一の撮影映像フレームＲｆを静止画として抽出し、画像認識部３２５に入力する。撮影映像フレームＲｆを静止画として抽出した後、ＳＴＢ３００は、Ｓ３４に処理を移行する。
【００６０】
Ｓ３４においては、ＳＴＢ３００は、文字情報抽出処理を実行する。具体的には、ＳＴＢ３００は、画像認識部３２５を制御して、Ｓ３３で静止画として抽出した撮影映像フレームＲｆを対象として文字認識処理を行い、当該撮影映像フレームＲｆに含まれる文字を抽出する。そして、ＳＴＢ３００は、抽出した文字の種類及びサイズに基づいて、文字情報を生成する。即ち、当該文字情報は、文字認識処理により抽出された文字の種類及び文字のサイズを示す。尚、文字情報抽出処理（Ｓ３４）における文字認識処理の処理内容については、既に公知であるため、その詳細な説明を省略する。文字情報抽出処理の解析結果をＳＴＢ３００のＲＡＭに格納すると、ＳＴＢ３００は、文字情報抽出処理を終了し、Ｓ３５に処理を移行する。
【００６１】
ここで、撮影映像フレーム抽出処理（Ｓ３３）で静止画として抽出される撮影映像フレームＲｆは、フレーム抽出信号Ｆｅに基づいて抽出される。そして、当該フレーム抽出信号Ｆｅは、第１ディスプレイ４２１等に表示される単位歌詞テロップが更新された時点（Ｓ６：ＹＥＳ）で、ＳＴＢ３００へ出力される。上述したように、単位歌詞テロップの表示色は、表示された当初は白色であり、楽曲の進行に伴い所定の色に変更される。従って、静止画として抽出される撮影映像フレームＲｆに、第１ディスプレイ４２１等の画面が含まれていた場合、単位歌詞テロップは、白色文字として含まれる。一般に、種々の色彩を用いて構成される背景映像データＢｉに係る背景映像について、文字認識処理は、歌詞テロップが白色文字である場合に、認識精度を高く行うことができる。即ち、フレーム抽出信号Ｆｅに係るタイミングで抽出された撮影映像フレームＲｆにも文字認識処理を行うので、当該ＳＴＢ３００は、より高い精度で文字情報を抽出し得る。
【００６２】
Ｓ３５に移行すると、ＳＴＢ３００は、抽出内容比較処理を実行する。抽出内容比較処理（Ｓ３５）では、ＳＴＢ３００は、Ｓ３４で撮影映像フレームＲｆから抽出した文字情報と、フレーム抽出信号Ｆｅの受信に伴い入力された単位歌詞テロップデータを比較する。具体的には、ＳＴＢ３００は、文字情報を構成する文字の種類と、単位歌詞テロップデータを構成する文字の種類に関する比較を行う。更に、ＳＴＢ３００は、文字情報に係る文字サイズと、単位歌詞テロップデータに含まれる文字サイズデータ（図５参照）に基づく文字サイズを比較することにより、サイズ比率を算出する。その後、ＳＴＢ３００は、文字種類の比較結果及びサイズ比率を、ＳＴＢ３００のＲＡＭに格納し、Ｓ３６に処理を移行する。
【００６３】
抽出内容比較処理（Ｓ３５）で算出されるサイズ比率は、単位歌詞テロップデータに係る文字サイズに対する文字情報に係る文字サイズの比率を示す。上述したように、単位歌詞テロップデータに含まれる文字サイズは、規定値であり、当該カラオケシステムにおける第１ディスプレイ４２１、第２ディスプレイ４２２の画面サイズも特定し得る。従って、ＳＴＢ３００は、抽出内容比較処理（Ｓ３５）で算出されるサイズ比率に基づいて、抽出された撮影映像フレームＲｆにおける第１ディスプレイ４２１等のサイズを特定し得る。更に、カメラ４１０により撮影された撮影映像フレームＲｆのサイズも特定することができるので、当該ＳＴＢ３００は、算出されたサイズ比率により、撮影映像フレームＲｆに占める第１ディスプレイ４２１等の割合を算出し、第１ディスプレイ４２１等の表示内容が主体的に撮影されているか否かの指標として用いることができる。
【００６４】
Ｓ３６では、ＳＴＢ３００は、抽出内容比較処理（Ｓ３５）の比較結果を読み出し、文字情報に係る文字の種類と、単位歌詞テロップデータを構成する文字の種類が一致するか否かを判断する。文字の種類が一致している場合（Ｓ３６：ＹＥＳ）、ＳＴＢ３００は、再生映像データＰｖを表示する第１ディスプレイ４２１等を撮影していると判断し、Ｓ３７に処理を移行する。一方、文字の種類が一致していない場合（Ｓ３６：ＮＯ）、ＳＴＢ３００は、Ｓ３９に処理を移行する。
【００６５】
Ｓ３７においては、ＳＴＢ３００は、抽出内容比較処理（Ｓ３５）で算出したサイズ比率が所定比率以上であるか否かを判断する。ここで、所定比率とは、撮影映像が面の中に、再生映像が映り込まれる割合であり、設計的な数値（例えば、撮影映像画面サイズ１０：再生映像画面サイズ１）を決めておけばよいが、著作者毎に映像に対する考え方に応じて異なることが多い。このような場合、予め、所定比率を再生映像データＰｖの著作者と決定し、再生映像データＰｖに著作権フラグと共に、所定比率を示す情報を添付しておけば良い。
コマンダ２００側の処理は、制御部２１０がＳ５において著作権フラグを検出した場合、添付された所定比率を読み取り、Ｓ５：ＹＥＳからＳ７に至る前までの期間で、所定比率をＳＴＢ３００に対してＬｙ信号線を用いて送信することで、ＳＴＢ３００側で所定比率を設定する。この期間は、フレーム抽出信号出力処理（Ｓ７）以前なので、ＳＴＢ３００側も（Ｓ３２）に至っていないので、処理に支障をきたすことはない。
これら、再生映像データＰｖの構成、コマンダ２００側処理、及びＳＴＢ３００側処理とによって、再生映像毎に所定比率を決定することには、再生映像データＰｖの著作者毎の再生映像に対する意向を反映し得る効果を生じさせる。
サイズ比率が所定比率以上である場合（Ｓ３７：ＹＥＳ）、ＳＴＢ３００は、再生映像データＰｖを表示する第１ディスプレイ４２１等を、主体的に撮影しているものと判断し、Ｓ３８に処理を移行する。一方、サイズ比率が所定比率よりも小さい場合（Ｓ３７：ＮＯ）、ＳＴＢ３００は、Ｓ３９に処理を移行する。
【００６６】
Ｓ３８に移行すると、ＳＴＢ３００は、認識信号出力処理を実行する。認識信号出力処理（Ｓ３８）では、ＳＴＢ３００は、Ｓ３３〜Ｓ３７の処理により、再生映像データＰｖを表示する第１ディスプレイ４２１等を主体的に撮影しているものと判断し、コマンダ２００の制御部２１０へ、認識信号Ｒｅを出力する。認識信号出力処理（Ｓ３８）を終了すると、ＳＴＢ３００は、Ｓ３９へ処理を移行する。
【００６７】
Ｓ３９においては、ＳＴＢ３００は、撮影終了信号Ｅｎを受信したか否かを判断する。撮影終了信号Ｅｎを受信している場合（Ｓ３９：ＹＥＳ）、ＳＴＢ３００は、ＳＴＢ側制御処理プログラムを終了する。一方、撮影終了信号Ｅｎを受信していない場合（Ｓ３９：ＮＯ）、ＳＴＢ３００は、Ｓ３２に処理を戻す。
【００６８】
（アップロード禁止映像再生時の制御内容）
続いて、本実施形態に係るカラオケ装置１００において、ＳＴＢ側制御プログラムを実行した場合の制御内容について、図１０を参照しつつ説明する。尚、以下の説明においては、著作権フラグが付帯されているカラオケデータの再生映像データＰｖに基づく映像（以下、アップロード禁止映像）を第１ディスプレイ４２１等に出力する場合について説明する。
【００６９】
先ず、コマンダ２００側で行われるアップロード禁止映像の出力に係る制御内容を説明する。上述したように、アップロード禁止映像に係るカラオケデータに対しては、カラオケデータ記憶部２３０において、著作権フラグ「１」が付帯されている（図３、図４参照）。そして、アップロード禁止映像の再生（例えば、図１３（ｃ）参照）を開始すると、制御部２１０は、当該アップロード禁止映像を第１ディスプレイ４２１等に描画出力する。この時、制御部２１０は、アップロード禁止映像における単位歌詞テロップを楽曲の進行に応じて更新するタイミングで、フレーム抽出信号ＦｅをＳＴＢ３００へ出力する（Ｓ５〜Ｓ７）。
【００７０】
ここで、本実施形態に係るカラオケ装置１００は、歌唱者Ｓの歌唱の様子をカメラ４１０により撮影し得る。歌唱者Ｓの歌唱の様子を撮影する際に、アップロード禁止映像を表示している第１ディスプレイ４２１等が映り込む場合がある。
【００７１】
続いて、本実施形態に係るカラオケ装置１００において、カメラ４１０による撮影に際し、アップロード禁止映像を表示する第１ディスプレイ４２１等（例えば、図１１（ｃ）参照）が映り込んだ場合のＳＴＢ３００側の制御について説明する。
上述したように、カメラ４１０は、撮影開始信号Ｓｔを受信すると、歌唱者Ｓの歌唱の様子等を撮影する。そして、ＳＴＢ３００は、カメラ４１０によって撮影された撮影映像信号Ｒを、Ａ／Ｄコンバータ３１０により、撮影映像フレームＲｆに変換する。ここで、コマンダ２００からフレーム抽出信号Ｆｅを受信すると、ＳＴＢ３００は、当該フレーム抽出信号Ｆｅに係るフレーム抽出指示を静止画抽出部３２０へ、単位歌詞テロップデータを画像認識部３２５へ入力する（図１０参照）。
【００７２】
ＳＴＢ３００は、フレーム抽出指示を静止画抽出部３２０へ入力することで、単位歌詞テロップが更新された時点の撮影映像フレームＲｆを、静止画として抽出する（Ｓ３３）。フレーム抽出信号Ｆｅは単位歌詞テロップが更新されたタイミングで出力されるので、抽出した撮影映像フレームＲｆは、白色文字で表示された単位歌詞テロップを含み得る。その後、ＳＴＢ３００は、静止画として抽出した撮影映像フレームＲｆを、画像認識部３２５へ入力する。
【００７３】
抽出した撮影映像フレームＲｆを画像認識部３２５へ入力すると、ＳＴＢ３００は、先ず、入力された撮影映像フレームＲｆを対象とした文字認識処理を行い、撮影映像フレームＲｆに含まれる文字を、当該撮影映像フレームＲｆから抽出する。例えば、当該撮影映像フレームＲｆが図１１（ｃ）に示す内容を含む場合、ＳＴＢ３００は、文字認識処理により、撮影映像フレームＲｆから、「○○××△△△」の文字列（即ち、単位歌詞テロップ）を抽出する。その後、ＳＴＢ３００は、抽出した文字の文字種類及び文字サイズを特定して文字情報を生成し、文字情報をＳＴＢ３００のＲＡＭに格納する（Ｓ３４）。
【００７４】
その後、ＳＴＢ３００は、抽出内容比較処理（Ｓ３５）により、抽出した文字情報と、フレーム抽出信号Ｆｅに係る単位歌詞テロップデータを比較する。ＳＴＢ３００は、文字情報に係る文字と単位歌詞テロップの文字に関し、文字種類の一致・不一致を判断することにより、文字情報に係る文字が第１ディスプレイ４２１等に表示された単位歌詞テロップに由来するかを確認する（Ｓ３６）。更に、ＳＴＢ３００は、文字情報に係る文字サイズと、単位歌詞テロップの文字サイズデータが示す文字サイズに基づいて、サイズ比率を算出する（Ｓ３７）。ＳＴＢ３００は、サイズ比率を算出することにより、撮影映像フレームＲｆが、アップロード禁止映像を表示する第１ディスプレイ４２１等を主体的に撮影したものかを判断し得る。
【００７５】
ＳＴＢ３００は、抽出内容比較処理（Ｓ３５）の比較結果により、アップロード禁止映像を表示する第１ディスプレイ４２１等を主体的に撮影したものと判断した場合（Ｓ３６：ＹＥＳ、Ｓ３７：ＹＥＳ）、画像認識部３２５を介して、認識信号Ｒｅを、コマンダ２００の制御部２１０へ出力する（Ｓ３８）。
【００７６】
認識信号Ｒｅを受信した場合、制御部２１０は、認識信号検出メモリをセットする（Ｓ１４）。そして、制御部２１０は、認識信号検出メモリがセットされている場合（Ｓ２２：ＹＥＳ）、アップロード不許可処理（Ｓ２３）を実行する。このアップロード不許可処理（Ｓ２３）では、制御部２１０は、ＳＴＢ３００へ制御信号を出力し、投稿動画データＣｏを投稿動画データベース６１０へアップロードすることなく、記憶部３４０から削除する。この時、制御部２１０は、不許可報知画像（図１１（ｄ）参照）を第１ディスプレイ４２１等に表示する。
【００７７】
尚、撮影映像フレームＲｆが第１ディスプレイ４２１等の表示内容を含む場合であっても、サイズ比率に基づいて、当該第１ディスプレイ４２１等を主体的に撮影していなければ（Ｓ３７：ＮＯ）、ＳＴＢ３００は、認識信号Ｒｅをコマンダ２００へ出力することはない。即ち、アップロード禁止映像が主体的に撮影されていない場合、当該カラオケ装置１００は、当該撮影映像フレームＲｆを含む投稿動画データＣｏを、投稿動画データベース６１０へアップロードする（Ｓ２４）。
【００７８】
（アップロード許可映像再生時の制御内容）
次に、本実施形態に係るカラオケシステムにおいて、アップロード許可映像が第１ディスプレイ４２１等で再生されている場合における制御内容について、図面を参照しつつ詳細に説明する。ここで、アップロード許可映像とは、歌詞テロップ、背景映像の記録が許可されている映像であり、著作権フラグが「０」を示すカラオケデータに係る映像を意味する。
【００７９】
ここで、アップロード許可映像に係る楽曲を歌唱する歌唱者Ｓの様子を撮影する場合、第１ディスプレイ４２１等は、当該アップロード許可映像に係る再生映像データＰｖに基づいて、歌詞テロップ、背景映像を含む映像を出力する（図１３（ａ）参照）。著作権フラグが「０」を示すため、アップロード許可映像を第１ディスプレイ４２１等に出力する際、制御部２１０は、フレーム抽出信号ＦｅをＳＴＢ３００へ出力することはない。従って、ＳＴＢ３００は、認識信号Ｒｅをコマンダ２００に出力することもない。これにより、アップロード許可映像に係る楽曲の場合、カラオケ装置１００は、第１ディスプレイ４２１等を主体的に撮影していたとしても、投稿動画データＣｏを投稿動画データベース６１０へアップロードし得る。
【００８０】
以上説明したように、本発明は、カラオケ装置１００と、サーバ６００と、を有するカラオケシステムであって、カラオケ装置１００は、コマンダ２００、ＳＴＢ３００、カメラ４１０等を有する。著作権フラグが付帯されているカラオケデータに係る楽曲について歌唱者Ｓが歌唱する様子を撮影する場合、カラオケシステムは、単位歌詞テロップが更新されたタイミングで、フレーム抽出信号ＦｅをＳＴＢ３００へ出力し（Ｓ７）、撮影映像フレームＲｆを静止画として抽出する（Ｓ３３）。
【００８１】
そして、当該カラオケシステムは、抽出した撮影映像フレームＲｆに対する文字認識処理により、撮影映像フレームＲｆに含まれている文字情報を抽出して（Ｓ３４）、文字情報に係る文字種類及び文字サイズと、単位歌詞テロップデータに係る文字種類及び文字サイズを比較する（Ｓ３５）。この比較結果により、撮影映像フレームＲｆが第１ディスプレイ４２１等を主体的に撮影したものと判断する場合（Ｓ３７：ＹＥＳ）、カラオケシステムは、撮影した投稿動画データＣｏを、投稿動画データベース６１０へアップロードすることを禁止する（図７〜図９参照）。
【００８２】
これにより、当該カラオケシステムは、アップロード禁止映像を主として含む投稿動画データＣｏのサーバ６００へのアップロードを確実に禁止し得る。又、アップロード不許可処理（Ｓ２３）において、カラオケ装置１００は、不許可報知画像（図１１（ｄ）参照）を、第１ディスプレイ４２１等に表示する。これにより、歌唱者Ｓは、当該カラオケデータのアップロードが禁止されていること、撮影した投稿動画データＣｏのアップロードが行わなかったことを把握し得る。
【００８３】
又、当該カラオケシステムは、アップロード禁止映像を含む投稿動画データＣｏであっても、アップロード禁止映像が主として含まれていない場合（例えば、偶然に第１ディスプレイ４２１等が映り込んだ場合）であれば、当該投稿動画データＣｏのアップロードを許容する（Ｓ２４）。従って、当該カラオケシステムは、アップロード禁止映像を適切に保護しつつ、歌唱者の歌唱の様子を撮影し映像として記録し得るカラオケサービスを提供し得る。
【００８４】
更に、著作権フラグが付帯されていないカラオケデータに係る楽曲について歌唱者Ｓが歌唱する様子を、カメラ４１０で撮影し、その内容をアップロードする場合、当該カラオケシステムは、フレーム抽出信号Ｆｅを出力することなく、再生映像データＰｖを第１ディスプレイ４２１等に出力する。この結果、当該カラオケシステムは、撮影映像フレームＲｆを静止画として抽出することもなく、認識信号Ｒｅを出力することもない。従って、当該カラオケシステムは、当該撮影映像フレームＲｆを含む投稿動画データＣｏをサーバ６００へアップロードする（Ｓ２４）。これにより、当該カラオケシステムは、アップロード許可映像の内容を含む映像データを記録し、当該映像データをサーバ６００にアップロードし得る。
【００８５】
この結果、カラオケシステム及びカラオケ装置は、アップロード禁止映像を用いた場合、歌唱者Ｓの歌唱の様子を撮影し、アップロードすることを、撮影映像フレームＲｆにおけるアップロード禁止映像の関係に応じて適切に禁止し得る。そして、アップロード許可映像を用いた場合、歌唱者Ｓの歌唱の様子と共に、第１ディスプレイ４２１等の表示内容を撮影し、アップロードすることができるので、カラオケシステムは、カラオケ事業におけるサービスの多様化・充実化に貢献し得る。
【００８６】
以上、実施形態に基づき本発明を説明したが、本発明は上述した実施形態に何ら限定されるものではなく、本発明の趣旨を逸脱しない範囲内で種々の改良変更が可能である。例えば、本実施形態においては、ＳＴＢ３００において、撮影映像フレームＲｆの抽出（Ｓ３３）、文字情報の抽出（Ｓ３４）、文字情報と単位歌詞テロップデータの比較（Ｓ３５）を行うように構成しているが、この態様に限定するものではない。例えば、コマンダ２００によって、Ｓ３３〜Ｓ３７の処理を実行するように構成することも可能である。この場合、コマンダ２００は、単位歌詞テロップの更新タイミングで、ＳＴＢ３００から撮影映像フレームＲｆを取得し、当該コマンダ２００に配設された画像認識部により、文字情報抽出処理を実行すれば、コマンダ２００で、Ｓ３４〜Ｓ３７と同様の処理を行うことができる。
【００８７】
又、本実施形態においては、撮影映像フレームＲｆから色情報を検出した場合、当該撮影映像フレームＲｆを含む投稿動画データＣｏをサーバ６００にアップロードする際に、アップロードを禁止し、記憶部３４０から削除する構成であったが、この態様に限定するものではない。例えば、Ｓ３７で認識信号Ｒｅを出力する時点で、カメラ４１０による撮影を中止するように構成することも可能である。
【００８８】
更に、上述した各フローチャートは単なる一例であり、該各フローチャートの処理と同等の結果を得ることできるものであれば、他のフローチャートによって処理を実現してもよい。
【００８９】
そして、上述したカラオケ装置、カラオケシステム、ＳＴＢに係る方法、該方法をコンピュータに実行させるためのプログラム、該プログラムを記録した記録媒体等としても本発明は実現可能である。
【符号の説明】
【００９０】
１００  カラオケ装置
２００  コマンダ
２１０  制御部
２２０  映像データ再生部
２３０  カラオケデータ記憶部
３００  ＳＴＢ
３２０  静止画抽出部
３２５  画像認識部
３４０  記憶部
４１０  カメラ
４２１  第１ディスプレイ
４２２  第２ディスプレイ
４５０  スピーカ
Ｐｖ    再生映像データ
Ｃｒ    著作権信号
Ｆｅ    フレーム抽出信号
Ｒｆ    撮影映像フレーム
Ｌｙ    歌詞テロップデータ
Ｒｅ    認識信号
【図１】
2011158642.tif 000003
【図２】
2011158642.tif 000004
【図３】
2011158642.tif 000005
【図４】
2011158642.tif 000006
【図５】
2011158642.tif 000007
【図６】
2011158642.tif 000008
【図７】
2011158642.tif 000009
【図８】
2011158642.tif 000010
【図９】
2011158642.tif 000011
【図１０】
2011158642.tif 000012
【図１１】
2011158642.tif 000013